【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
基地局によるワイヤレス通信の方法であって、
フレーム中の１つまたは複数のアンカーサブフレームおよび１つまたは複数の非アンカーサブフレームを識別することと、
複数のユーザ機器（ＵＥ）と通信するために使用される前記フレームのアップリンク／ダウンリンク構成を動的に変更することと、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングすることと、
を備える方法。
【請求項２】
前記共通ダウンリンク制御チャネルのサイズは、レガシーロングタームエボリューション（ＬＴＥ）ダウンリンク制御情報（ＤＣＩ）フォーマットのために定義されたサイズと同じである、請求項１に記載の方法。
【請求項３】
前記共通ダウンリンク制御チャネルに固有の無線ネットワーク一時識別子（ＲＮＴＩ）によって前記共通ダウンリンク制御チャネルの巡回冗長検査（ＣＲＣ）コードをスクランブルすることをさらに備える、請求項１に記載の方法。
【請求項４】
同じ物理セル識別情報（ＰＣＩ）のセルのための２つまたはそれ以上のＲＮＴＩ値を構成することをさらに備え、前記複数のＵＥの各々は、前記２つまたはそれ以上のＲＮＴＩ値のうちの１つのみを監視するように指示される、請求項１に記載の方法。
【請求項５】
前記シグナリングすることは、前記フレームの前記１つまたは複数のアンカーサブフレーム中で、別の後続のフレームのためのアップリンク／ダウンリンク構成を指示するための前記共通ダウンリンク制御チャネルを送信することを備える、請求項１に記載の方法。
【請求項６】
前記共通ダウンリンク制御チャネルを搬送するように構成されたサブフレームのセットの明示的シグナリングにより前記複数のＵＥのうちの少なくとも１つのＵＥに指示することをさらに備える、請求項１に記載の方法。
【請求項７】
各ＵＥのための前記共通ダウンリンク制御チャネルを搬送するためのサブフレームのセットを、前記ＵＥの間欠受信（ＤＲＸ）に基づき、少なくとも１つのサブフレームがＤＲＸオン持続時間中に前記ダウンリンク制御チャネルを搬送するように、決定することをさらに備える、請求項１に記載の方法。
【請求項８】
ユーザ機器（ＵＥ）によるワイヤレス通信の方法であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視することと、
後続の通信において使用するサブフレームの前記変更されたアップリンク／ダウンリンク構成を決定するために前記共通ダウンリンク制御チャネルを復号することと、
を備える方法。
【請求項９】
前記共通ダウンリンク制御チャネルのサイズは、レガシーロングタームエボリューション（ＬＴＥ）ダウンリンク制御情報（ＤＣＩ）フォーマットのために定義されたサイズと同じである、請求項８に記載の方法。
【請求項１０】
前記共通ダウンリンク制御チャネルの前記巡回冗長検査（ＣＲＣ）コードは、前記共通ダウンリンク制御チャネルに固有の無線ネットワーク一時識別子（ＲＮＴＩ）によってスクランブルされる、請求項８に記載の方法。
【請求項１１】
前記変更されたアップリンク／ダウンリンク構成の前記指示は、前記フレームの前記１つまたは複数のアンカーサブフレーム中の、別の後続のフレームのための前記アップリンク／ダウンリンク構成を指示する前記共通ダウンリンク制御チャネルを備える、請求項８に記載の方法。
【請求項１２】
前記共通ダウンリンク制御チャネルを搬送するように構成されたサブフレームのセットの明示的シグナリングにより指示を受信することをさらに備える、請求項８に記載の方法。
【請求項１３】
各ＵＥのための前記共通ダウンリンク制御チャネルを搬送するサブフレームのセットは、少なくとも１つのサブフレームが間欠受信（ＤＲＸ）オン持続時間中に前記ダウンリンク制御チャネルを搬送するように、前記ＵＥのＤＲＸ動作に基づく、請求項８に記載の方法。
【請求項１４】
基地局によるワイヤレス通信の装置であって、
フレーム中の１つまたは複数のアンカーサブフレームおよび１つまたは複数の非アンカーサブフレームを識別するための手段と、
複数のユーザ機器（ＵＥ）と通信するために使用される前記フレームのアップリンク／ダウンリンク構成を動的に変更するための手段と、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングするための手段と、
を備える装置。
【請求項１５】
ユーザ機器（ＵＥ）によるワイヤレス通信の装置であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視するための手段と、
後続の通信において使用するサブフレームの前記変更されたアップリンク／ダウンリンク構成を決定するために前記共通ダウンリンク制御チャネルを復号するための手段と、
を備える装置。
【手続補正２】
【補正対象書類名】明細書
【補正対象項目名】０１０７
【補正方法】変更
【補正の内容】
【０１０７】
[00121]以上の説明は、当業者が本明細書で説明した様々な態様を実施できるようにするために提供したものである。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「ための手段」という句を使用して明示的に具陳されていない限り、ミーンズプラスファンクションとして解釈されるべきではない。
以下に、本願の出願当初の特許請求の範囲に記載された発明を付記する。
［Ｃ１］
基地局によるワイヤレス通信の方法であって、
フレーム中の１つまたは複数のアンカーサブフレームおよび１つまたは複数の非アンカーサブフレームを識別することと、
複数のユーザ機器（ＵＥ）と通信するために使用される前記フレームのアップリンク／ダウンリンク構成を動的に変更することと、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングすることと、
を備える方法。
［Ｃ２］
前記共通ダウンリンク制御チャネルのサイズは、レガシーロングタームエボリューション（ＬＴＥ）ダウンリンク制御情報（ＤＣＩ）フォーマットのために定義されたサイズと同じである、Ｃ１に記載の方法。
［Ｃ３］
前記共通ダウンリンク制御チャネルのサイズがダウンリンクシステム帯域幅に依存しない、Ｃ１に記載の方法。
［Ｃ４］
前記共通ダウンリンク制御チャネルに固有の無線ネットワーク一時識別子（ＲＮＴＩ）によって前記共通ダウンリンク制御チャネルの巡回冗長検査（ＣＲＣ）コードをスクランブルすることをさらに備える、Ｃ１に記載の方法。
［Ｃ５］
同じ物理セル識別情報（ＰＣＩ）のセルのための２つまたはそれ以上のＲＮＴＩ値を構成することをさらに備え、前記複数のＵＥの各々は、前記２つまたはそれ以上のＲＮＴＩ値のうちの１つのみを監視するように指示される、Ｃ１に記載の方法。
［Ｃ６］
前記シグナリングすることは、前記フレームの前記１つまたは複数のアンカーサブフレームのサブセット中のみで前記共通ダウンリンク制御チャネルを送信することを備える、Ｃ１に記載の方法。
［Ｃ７］
前記シグナリングすることは、前記フレームの前記１つまたは複数のアンカーサブフレーム中で、別の後続のフレームのためのアップリンク／ダウンリンク構成を指示するための前記共通ダウンリンク制御チャネルを送信することを備える、Ｃ１に記載の方法。
［Ｃ８］
前記共通ダウンリンク制御チャネルを搬送するように構成されたサブフレームのセットの明示的シグナリングにより前記複数のＵＥのうちの少なくとも１つのＵＥに指示することをさらに備える、Ｃ１に記載の方法。
［Ｃ９］
各ＵＥのための前記共通ダウンリンク制御チャネルを搬送するためのサブフレームのセットを、前記ＵＥの間欠受信（ＤＲＸ）に基づき、少なくとも１つのサブフレームがＤＲＸオン持続時間中に前記ダウンリンク制御チャネルを搬送するように、決定することをさらに備える、Ｃ１に記載の方法。
［Ｃ１０］
前記シグナリングすることは、少なくとも２つのダウンリンクアンカーサブフレーム中で前記共通ダウンリンク制御チャネルを送信することを備える、Ｃ１に記載の方法。
［Ｃ１１］
前記共通ダウンリンク制御チャネルは、前記変更された構成が適用されるべき持続時間についての情報を備える、Ｃ１に記載の方法。
［Ｃ１２］
前記持続時間は１つまたは複数のフレーム長を備える、Ｃ１１に記載の方法。
［Ｃ１３］
１つまたは複数のフレームへの前記変更された構成の適用は、前記フレーム内の前記共通ダウンリンク制御チャネルの送信のロケーションの関数である、Ｃ１に記載の方法。
［Ｃ１４］
前記共通ダウンリンク制御チャネルが前記フレームの第１の部分中で送信される場合、前記変更された構成が前記フレームに適用される、Ｃ１３に記載の方法。
［Ｃ１５］
前記共通ダウンリンク制御チャネルが前記フレームの第２の部分中で送信される場合、前記変更された構成が後続のフレームに適用される、Ｃ１３に記載の方法。
［Ｃ１６］
ユーザ機器（ＵＥ）によるワイヤレス通信の方法であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視することと、
後続の通信において使用するサブフレームの前記変更されたアップリンク／ダウンリンク構成を決定するために前記共通ダウンリンク制御チャネルを復号することと、
を備える方法。
［Ｃ１７］
前記共通ダウンリンク制御チャネルのサイズは、レガシーロングタームエボリューション（ＬＴＥ）ダウンリンク制御情報（ＤＣＩ）フォーマットのために定義されたサイズと同じである、Ｃ１６に記載の方法。
［Ｃ１８］
前記共通ダウンリンク制御チャネルのサイズはダウンリンクシステム帯域幅に依存しない、Ｃ１６に記載の方法。
［Ｃ１９］
前記共通ダウンリンク制御チャネルの前記巡回冗長検査（ＣＲＣ）コードは、前記共通ダウンリンク制御チャネルに固有の無線ネットワーク一時識別子（ＲＮＴＩ）によってスクランブルされる、Ｃ１６に記載の方法。
［Ｃ２０］
前記変更されたアップリンク／ダウンリンク構成の前記指示は、前記フレームの１つまたは複数のアンカーサブフレームのサブセット中にのみ前記共通ダウンリンク制御チャネルを備える、Ｃ１６に記載の方法。
［Ｃ２１］
前記変更されたアップリンク／ダウンリンク構成の前記指示は、前記フレームの前記１つまたは複数のアンカーサブフレーム中の、別の後続のフレームのための前記アップリンク／ダウンリンク構成を指示する前記共通ダウンリンク制御チャネルを備える、Ｃ１６に記載の方法。
［Ｃ２２］
前記共通ダウンリンク制御チャネルを搬送するように構成されたサブフレームのセットの明示的シグナリングにより指示を受信することをさらに備える、Ｃ１６に記載の方法。
［Ｃ２３］
各ＵＥのための前記共通ダウンリンク制御チャネルを搬送するサブフレームのセットは、少なくとも１つのサブフレームが間欠受信（ＤＲＸ）オン持続時間中に前記ダウンリンク制御チャネルを搬送するように、前記ＵＥのＤＲＸ動作に基づく、Ｃ１６に記載の方法。
［Ｃ２４］
前記フレーム内の前記共通ダウンリンク制御チャネルの送信のロケーションの関数として前記変更された構成を適用するための１つまたは複数のフレームを決定することをさらに備える、Ｃ１６に記載の方法。
［Ｃ２５］
前記共通ダウンリンク制御チャネルが前記フレームの第１の部分中で送信される場合、前記変更された構成が前記フレームに適用される、Ｃ２４に記載の方法。
［Ｃ２６］
前記共通ダウンリンク制御チャネルが前記フレームの第２の部分中で送信される場合、前記変更された構成が後続のフレームに適用される、Ｃ２４に記載の方法。
［Ｃ２７］
前記共通ダウンリンク制御チャネルに基づいて前記変更された構成が適用されるべき持続時間を決定することをさらに備える、Ｃ１６に記載の方法。
［Ｃ２８］
前記変更されたアップリンク／ダウンリンク構成の前記指示は、少なくとも２つのダウンリンクアンカーサブフレーム中の前記共通ダウンリンク制御チャネルを備える、Ｃ１６に記載の方法。
［Ｃ２９］
基地局によるワイヤレス通信の装置であって、
フレーム中の１つまたは複数のアンカーサブフレームおよび１つまたは複数の非アンカーサブフレームを識別するための手段と、
複数のユーザ機器（ＵＥ）と通信するために使用される前記フレームのアップリンク／ダウンリンク構成を動的に変更するための手段と、
前記フレームの前記１つまたは複数のアンカーサブフレームのうちの少なくとも１つ中の前記複数のＵＥによって解釈されることが可能な共通ダウンリンク制御チャネルを使用して、前記変更された構成をシグナリングするための手段と、
を備える装置。
［Ｃ３０］
ユーザ機器（ＵＥ）によるワイヤレス通信の装置であって、
少なくとも前記ＵＥとの通信のために使用されるサブフレームの変更されたアップリンク／ダウンリンク構成を指示する共通ダウンリンク制御チャネルを求めて、フレームの１つまたは複数のアンカーサブフレームを監視するための手段と、
後続の通信において使用するサブフレームの前記変更されたアップリンク／ダウンリンク構成を決定するために前記共通ダウンリンク制御チャネルを復号するための手段と、
を備える装置。